(57)【要約】      （修正有）【課題】粘着テープを所望の幅で容易に切断することができる多分割方式のテープ切断機を提供する。【解決手段】多分割方式のテープ切断機は、円筒状を有し、一側面に締結突起を備えており、前記円筒状の外周面に沿って形成された回転翼が複数備えられる回転部材１５０と、テープが嵌め込まれるテープの回転ローラー１７０と、を含むテープ切断機であって、前記回転部材と前記テープの回転ローラーを内側に固定させながらボディを形成するハウジングと、前記回転部材と前記テープの回転ローラーとの間に位置して前記テープの巻取り方向と直交する方向に備えられる第１のカッター部１２０、前記ハウジングの内側に前記テープの巻取り方向と直交する方向に備えられる第２のカッター部１３０と、を含む。【選択図】図５
2020138864.tif 000002
【特許請求の範囲】
【請求項１】
円筒状であり、一側面に締結突起１５１を備えており、前記円筒状の外周面に沿って形成された回転翼１５２が複数備えられる回転部材１５０と、テープが嵌められるテープの回転ローラー１７０と、を含むテープ切断機であって、
前記回転部材１５０と、前記テープの回転ローラー１７０とを内側に固定させながらボディを形成するハウジング１１０と、
前記回転部材１５０と、前記テープの回転ローラー１７０との間に位置して前記テープの巻取り方向と直交する方向に備えられる第１のカッター部１２０と、
前記ハウジング１１０の内側に前記テープの巻取り方向と直交する方向に備えられる第２のカッター部１３０と、を含むことを特徴とする、
多分割方式のテープ切断機。
【請求項２】
前記第１のカッター部１２０は、前記ハウジング１１０に着脱が可能なことを特徴とする請求項１に記載の多分割方式のテープ切断機。
【請求項３】
前記第１のカッター部１２０は、固定バー１２１と、前記固定バー１２１を挿脱する円筒部１２２とで構成され、前記円筒部１２２は、２つ以上の複数で構成されることを特徴とする請求項１に記載の多分割方式のテープ切断機。
【請求項４】
前記２つ以上の複数で構成される円筒部１２２のそれぞれに、前記テープの巻取り方向と一致する方向に切断刃１２３が１つ以上設けられることを特徴とする請求項３に記載の多分割方式のテープ切断機。
【請求項５】
前記ハウジング１１０の上端左右の両側に安着溝１１１が形成されており、前記安着溝１１１に前記固定バー１２１が差し込まれて前記第１のカッター部１２０が前記テープの巻取り方向と直交する方向に備えられることを特徴とする請求項３に記載の多分割方式のテープ切断機。
【請求項６】
前記第２のカッター部１３０は、刃支持台１３１と、前記刃支持台１３１の一側終端に設けられる刃１３２と、で構成され、前記刃支持台１３１の一側終端が所定の角度で斜めに形成されて前記刃１３２がテープと垂直を形成しながら接触することを特徴とする請求項１に記載の多分割方式のテープ切断機。
【請求項７】
前記第２のカッター部１３０は、前記刃１３２の刃面が所定の角度を有して一側方向に傾斜した一直線状に形成されることを特徴とする請求項６に記載の多分割方式のテープ切断機。
【請求項８】
カバー部１８０をさらに備え、前記カバー部１８０は、前記ハウジング１１０の左右両側の一部が凹んで形成されるカバー安着部１１２に安着されており、前記第１のカッター部１２０を上方から覆うことを特徴とする請求項１に記載の多分割方式のテープ切断機。
【請求項９】
前記テープの回転ローラー１７０は、外周面の一部の左右両側に、前記テープの巻取り方向と直交する方向に１つ以上の切開部で構成されるテンション調節部１７１をさらに備えることを特徴とする請求項１に記載の多分割方式のテープ切断機。
【発明の詳細な説明】
【技術分野】
【０００１】
本発明は、テープ切断機に関するものであって、より詳細には粘着テープを所望の幅で容易に切断することができる多分割方式のテープ切断機に関するものである。
【背景技術】
【０００２】
粘着テープは、日常で多用途に使われており、様々な種類と大きさの粘着テープが発売されて流通している。
【０００３】
テープは、粘着面の幅に応じて用途が変わることがあり、消費者は使用の用途に応じて適切な幅の粘着テープを選択して使用することになる。
【０００４】
強い粘着力が必要な場合、例えばダンボール箱や梱包袋などに使用する場合には粘着面の幅が広い「梱包テープ」と呼ばれる粘着テープを使用し、より弱い粘着力でも十分な場合、例えば封筒、オフィス用紙などを使用するときには、幅の狭い粘着テープを使用することが一般的である。
【０００５】
したがって、粘着テープを様々な用途に頻繁に使用する環境では、様々な幅の粘着テープを種類別に用意することになる。
【０００６】
しかし、このような場合、それぞれのテープを別途購入する必要があるので、コストが増加するだけでなく、用意した粘着テープの幅が合わない場合には、適切な幅のテープを新たに購入しなければならない問題点がある。
【０００７】
このような場合、既存のテープを所望の幅に合わせて分割して使用すると、別にテープを購入していなくても用途に合わせてテープを活用することができる。
【０００８】
ただし、テープを所望の幅に分割するためには、ユーザーがハサミやカッターナイフなど、別の切断手段を使用して、直接所望の幅だけ長さ方向に切らなければならない。
【０００９】
ところが、テープを所望の長さだけ切断して机などに貼った状態で、長さ方向に切る場合、粘着面が汚染されてテープの粘着力が弱まる問題がある。
【００１０】
一方、韓国特許登録第１０−１８６８９９４号「テープのカット長さ調節が可能なディスペンサー」のような従来技術による回転式粘着テープ切断機は、粘着テープを所望の長さだけ切断するには便利であるが、前記のような場合に粘着テープを所望の幅だけ切断することができないという欠点がある。
【先行技術文献】
【特許文献】
【００１１】
【特許文献１】韓国特許登録第１０−１８６８９９４号公報
【発明の概要】
【発明が解決しようとする課題】
【００１２】
本発明は、前記のような従来技術の問題点を解消するために開発したものであって、粘着テープを所望の幅だけ容易に切断することができる多分割方式のテープ切断機を提供することにその目的がある。
【課題を解決するための手段】
【００１３】
本発明による多分割方式のテープ切断機は、円筒状を有し、一側面に締結突起を備えており、前記円筒状の外周面に沿って終端が
2020138864.tif 000003
に形成された回転翼が複数備えられる回転部材と、テープが嵌め込まれるテープの回転ローラーとを含み、前記回転部材と前記テープの回転ローラーを内側に固定させながらボディを形成するハウジングと、前記回転部材と前記テープの回転ローラーとの間に位置して前記テープの巻取り方向と直交する方向に備えられる第１のカッター部と、前記ハウジングの内側に前記テープの巻取り方向と直交する方向に備えられる第２のカッター部と、を含むことができる。
【００１４】
ここで、前記第１のカッター部は、前記ハウジングに着脱可能である。
【００１５】
また、前記第１のカッター部は、固定バーと前記固定バーを挿脱する円筒部とで構成されるが、前記円筒部は２つ以上の複数で構成することができる。
【００１６】
また、前記２つ以上の複数で構成される円筒部のそれぞれに前記テープの巻取り方向と一致する方向に切断刃を１つ以上設けることができる。
【００１７】
また、前記ハウジングの上端左右の両側に安着溝が形成され、前記安着溝に前記固定バーが差し込まれて前記第１のカッター部が前記テープの巻取り方向と直交する方向に設けられることができる。
【００１８】
一方、第２のカッター部は、刃支持台と前記刃支持台の一側終端に備えられる刃とで構成され、前記刃支持台の一側終端が所定の角度で斜めに形成されて前記刃がテープと垂直を成して接触することができる。
【００１９】
また、本発明による多分割方式のテープ切断機はカバー部をさらに備えており、前記カバー部は、前記ハウジングの左右両側の一部が凹んで形成されるカバー安着部に安着され、前記第１のカッター部を上方から覆うことができる。
【００２０】
一方、前記テープの回転ローラーは、外周面の一部左右の両側に前記テープの巻取り方向と直交する方向に１つ以上の切開部で構成されるテンション調節部をさらに備えることができる。
【発明の効果】
【００２１】
以上のような本発明によると、粘着テープをユーザーが所望の幅だけ調整して切断することができるので、別の粘着テープをさらに購入しなくても既存のテープを多様に活用することができる効果がある。
【００２２】
特に、幅の広い梱包テープの場合、テープの面積当たりの価格が幅の狭い粘着テープに比べて安価なので、本発明による多分割方式のテープ切断機を用いて、梱包テープを分割して使用する場合には、種類別に粘着テープを備えなければならない場合に比べて、コストをダウンすることができる効果を奏する。
【００２３】
また、分割が必要ではない幅の狭いテープや、広いテープの幅そのままの使用が必要な場合には、従来のテープ切断機と同じ方式で幅を分割せずにそのまま使用することができるため、既存の様々な幅の全てのテープに使用することができる。
【図面の簡単な説明】
【００２４】
【図１】本発明の第１の実施例による多分割方式のテープ切断機の全体的な姿を示す図である。
【図２】第１のカッター部とカバー部とがハウジングに着脱される様子を示す図である。
【図３】第１のカッター部の構造を詳しく示す図である。
【図４】切断刃の方向を異にするようにそれぞれの円筒部を固定バーに嵌める一例を示す図である。
【図５】本発明によるテープ切断機によってテープが切断される過程を示す図である。
【図６】回転部材とカッターのハンドルを詳しく示す図である。
【図７】第２のカッター部がテープを切断する様子を詳しく示す図である。
【図８】第２のカッター部の刃の形状を詳しく示す図である。
【図９】テープの回転ローラーをより詳しく示す図である。
【発明を実施するための形態】
【００２５】
以下では、本発明の好ましい実施例と添付した図面を参照して本発明を詳細に説明するが、図面の同一の符号は同一の構成要素を示すことを前提して説明する。
【００２６】
発明の詳細な説明または特許請求の範囲において、いずれか一つの構成要素が他の構成要素を「含む」とするとき、これは特に反対する記載がない限り当該構成要素のみからなると限定して解釈せず、他の構成要素をさらに含むことができると理解すべきである。
【００２７】
[第１の実施例]
図１は、本発明の第１の実施例による多分割方式のテープ切断機１００の全体的な姿を示す図である。
【００２８】
ハウジング１１０は、多分割方式のテープ切断機１００のボディを成しており、一側面には、カッターのハンドル１６０が結合されており、両側端が開放されて貫通する内部空間が形成され、両側端にそれぞれ回転部材１５０とテープの回転ローラー１７０が結合される。
【００２９】
また、上端の中央部にはカバー安着部１１２が形成されるが、前記カバー安着部１１２には、前記カバー部１８０の足形状と対応する溝が形成されることによって、カバー部１８０がハウジング１１０に着脱可能である。
【００３０】
回転部材１５０は、ハウジング１１０の内部空間の一側端に結合され、回転により巻き取られたテープを第１のカッター部１２０及び第２のカッター部１３０に引き渡し、切断されたテープをハウジング１１０の上面開放空間に移動させ、ユーザーが切断されたテープを取って使用できるようにする。
【００３１】
図２は、第１のカッター部１２０とカバー部１８０とがハウジング１１０に着脱される様子を示す図である。
【００３２】
ハウジング１１０の上端の中央部の両側に安着溝１１１が形成され、前記安着溝１１１に第１のカッター部１２０の固定バー１４１の両終端が差し込まれて第１のカッター部１２０が安着される。
【００３３】
前記第１のカッター部１２０の上にカバー部１８０が構成され、前記安着溝１１１の周辺部が凹んでカバー安着部１１２が形成され、前記カバー安着部１１２の上にカバー部１８０が嵌められて第１のカッター部１２０を覆う。
【００３４】
これによって、上方に形成された切断刃１２３を設けた第１のカッター部１２０による事故を防止するとともに、切断刃１２３を外部の衝撃から保護することができようになる。
【００３５】
一方、本実施例では、最初に前記テープの回転ローラー１７０から解けていくテープ１が前記第１のカッター部１２０によって、先ず幅方向に分割された後、回転方向に移動する構造で構成されるため、第１のカッター部１２０が安着される位置は前記回転部材１５０と前記テープの回転ローラー１７０との間が好ましい。
【００３６】
図３は、第１のカッター部１２０の構造を詳しく示す図である。
【００３７】
第１のカッター部１２０は、全体的に棒状構造で形成されており、安着溝１１１に差し込まれる固定バー１２１と、前記固定バー１２１が挿通される円筒部１２２とで構成される。
【００３８】
特に、前記円筒部１２２は、一体ではなく２つ以上の複数に分割して構成されており、前記分割された各円筒部１２２の一側には、１つ以上の切断刃１２３が設けられている。
【００３９】
ここで、前記各々の円筒部１２２は、ユーザーが所望する方向に沿って、前記切断刃１２３が上方または下方を向くように、前記固定バー１２１にそれぞれ嵌めることができる。
【００４０】
図４  は、切断刃１２３の方向を異にするようにそれぞれの円筒部１２２を固定バー１２１に嵌める一例を示す図である。
【００４１】
ユーザーは、テープと接触してテープを分割する切断刃１２３は上方に、テープ分割に使用しない切断刃１２３は下方を向くように、当該切断刃１２３が設けられる円筒部１２２を各々固定バー１２１に嵌めることができる。
【００４２】
図４の（ａ）は、左側から２番目、４番目の切断刃１２３が下方を向くように円筒部１２２が嵌められるため、テープは上方を向けて配置された残りの３つの切断刃１２３によって幅が４等分に分割される。
【００４３】
また、ユーザーは、必要に応じて図４の（ｂ）のように、全ての切断刃１２３を上方に向くように円筒部１２２を嵌めてテープの幅を最大６分割に切断することもできる。
【００４４】
前記の図４の場合は、一例を図示したものであり、ユーザーは所望の分割幅または等分によって、前記それぞれの円筒部１２２を挿脱して上方を向く切断刃１２３の配列を自由に調節することができる。
【００４５】
これにより、ユーザーはテープを２／１、３／１、４／１  など所望の形で分割することができようになる。
【００４６】
一方、前記切断刃１２３は、前記円筒部１２２に着脱可能に構成されており、切断刃１２３が鈍る場合、新しい切断刃に交換することができるように構成する方が好ましい。
【００４７】
また、前記固定バー１２１の断面は、図３に示されたように方形で構成する方が好ましい。これはテープが切断刃１２３によって切断されるとき発生する切断刃１２３とテープとの間の摩擦力により、第１のカッター部１２０がテープの進行方向に回転しながら切削力が大きく低下される場合が発生するのを、防止することができる効果がある。
【００４８】
このため、前記円筒部１２２に形成される貫通孔も前記固定バー１２１の断面に合わせて方形で構成する方が好ましい。
【００４９】
さらに、本実施例では、円筒部１２２にそれぞれ１つの切断刃１２３のみを備えたが、同じ方向に１つ以上の切断刃１２３を設けることで、分割する方式をさらに細分化することも可能である。
【００５０】
図５は、本発明によるテープ切断機によってテープが切断される過程を示す図である。
【００５１】
テープロール１は、テープの回転ローラー１７０に嵌め込まれるが、テープを解くとき粘着面が上方を向くように嵌め込む。
【００５２】
ユーザーは、最初にテープ端を取り出して回転部材１５０の回転翼１５２の端に付けた後、回転部材１５０が備えられた位置のハウジング１１０の一側外部面に備えられたカッターのハンドルを回転させることによって、回転部材１５０が回転しながらテープロール１からテープを解くようになる。
【００５３】
一方、解いたテープは矢印の方向に移動するようになるが、１次的に、第１のカッター部１２０の上方に通りながら上方を向く切断刃１２３によって前記解いたテープの幅が多分割されることになる。
【００５４】
ただし、前記切断刃を全て下方に向けた場合には、幅が分割されずにテープ１の本来の幅のまま保持される。
【００５５】
幅が多分割された状態のテープ１は、ハウジング１１０の内部空間の底面にテープの巻取り方向と直交する方向に備えられた第２のカッター部１３０により所定の長さだけ一定に切断される。
【００５６】
以後、所望の幅と長さで切断されたテープが回転部材１５０の回転翼１５２に接着されたまま回転されて上方に移動するようになる。
【００５７】
図６は、回転部材１５０と、カッターのハンドル１６０とを詳しく示す図である。
【００５８】
図６の（ａ）に示されるように、回転部材１５０の中央部は円筒形状で一側面の中央部には締結突起１５１が形成され、他側面の中央部には締結溝が形成されており、前記円筒形状の外周面に沿って上方に延在し、水車の羽根車と類似する回転翼１５２が形成される。
【００５９】
前記回転翼１５２の一部は、上端の終端が直角に曲がって
2020138864.tif 000004
で形成されており、これは上端の終端が一字型の回転翼１５２と交互に配置する方が好ましい。
【００６０】
終端が
2020138864.tif 000005
で形成されるので、終端に所定の面積が形成され、ここにテープが接着されて固定されるので、回転部材１５０が回転するとき粘着テープが共に回転することができるようになる。
【００６１】
また、前記締結突起１５１の断面は両終端が円弧形状であり、これを左右両側から直線につなげる形で形成して、カッターのハンドル１６０が回転するとき発生する回転トルクがより効率よくかけられるようにする方が好ましい。
【００６２】
図６の（ｂ）は、カッターのハンドル１６０をより詳しく示す図であって、好ましくはカッターのハンドル１６０の背面には、前記回転部材１５０の締結突起１５１が挿入される締結溝が形成されており、ハウジング１１０の一側面に結合されて、ユーザーがカッターのハンドル１６０を回転させることによって回転部材１５０を共に回転させる。
【００６３】
より詳しく説明すると、前記カッターのハンドル１６０の背面に形成される締結溝１６１は、前記回転部材１５０の締結突起１５１の断面形状と対応する形状で形成され、前記締結突起１５１はハウジング１１０の内側の一側面に形成された貫通孔（未図示）を貫通してカッターのハンドル１６０の背面に形成された締結溝１６１に挿入される。
【００６４】
また、回転部材１５０の他側に形成された溝は円形であって、ハウジング１１０の内側の他側面に前記貫通孔と向かい会うように形成された軸突起（未図示）の断面と対応し、前記回転部材１５０の溝に前記突起が差し込まれる。
【００６５】
これにより、回転部材１５０は、軸突起から締結溝を連結した直線を軸として回転することができるようになる。
【００６６】
ここで、ユーザーがカッターのハンドル１６０を回転させると、回転力によるトルクが締結突起１５１に加えられて、締結突起１５１も共に回転しながら回転部材１５０の全体が回転する。
【００６７】
図７は、第２のカッター部１３０がテープを切断する様子を詳しく示す図である。
【００６８】
第２のカッター部１３０は、好ましくは、円柱形状の中央部の両断面に溝が形成されており、ハウジング１１０の内部の両側面の底面に形成された突起が差し込まれることによってハウジング１１０に結合されて回転できるようになる。
【００６９】
好ましくは、円柱表面の長さ方向に沿って上方に延在される複数の刃支持台１３１が形成されており、前記刃支持台１３１の上面に刃１３２が設けられてテープを所望の長さだけ切断することができる。
【００７０】
ただし、従来のテープ切断機は、前記刃支持台１３１が中央部と垂直方向を成してテープと会う地点では、直角を成していないまま切断されるため、切削力が弱く、切断されたテープの断面が滑らかでない問題があった。
【００７１】
しかし、本発明によるテープ切断機は、図７に示されたように刃支持台１３１の終端部分が回転方向に所定の角度を成して斜めに形成されている。よって、第２のカッター部１３０の刃１３２がテープと垂直を形成しながら接触して切断できるように形成される。
【００７２】
以上によって、従来のテープ切断機に比べてより切削力が向上し、切断面が均一に形成できるようになる。
【００７３】
一方、図８は、第２のカッター部１３０の刃１３２形状を詳しく示す図である。
【００７４】
従来のテープ切断機は、第２のカッター部１３０の刃１３２に対応する刃がのこぎりの形状で形成されることが一般的である。
【００７５】
これによって、テープの切断面ものこぎりの形状の凹凸が生じて滑らかではなく、テープを接着した部分が美観上良くない問題点があった。
【００７６】
これに反して、本発明によるテープ切断機では、図８に図示されたように第２のカッター部１３０の刃１３２をのこぎり状ではなく直線状で形成してテープの切断面が一直線ですっきりと形成できるようにする。
【００７７】
また、前記刃１３２の刃面は、所定の角度を有して一側方向に斜めに形成される。
【００７８】
ここで、前記所定の角度は、１°〜２５°の間の角度で形成する方が好ましい。
【００７９】
前記のように所定の角度で斜めに形成することによって、前記刃１３２がテープと接触してテープを切断する場合、刃面の高い側が先にテープと接触し、以降低い側がテープ面と接触するようになるので、刃が一度にテープと接触するようになる場合よりも切断力が向上する効果がある。
【００８０】
図９は、テープの回転ローラー１７０をより詳しく示す図である。
【００８１】
テープの回転ローラー１７０は、テープロール１の芯材部分が嵌められる部分であって、テープロール１が回転中にカッター機の外側に抜け出さないようにテープロール１を固定させる役割をする。
【００８２】
本発明では、テープの回転ローラー１７０の周りの長さをテープの芯材の周りの長さよりもやや大きく形成し、前記テープの回転ローラーの一側にテープの巻取り方向と直交する方向に１つ以上の切開部で構成されるテンション調節部１７１を備える。
【００８３】
これによって、テープロール１の芯材を嵌めるとき、前記切開部が圧力を受けて切開部の幅が小さくなり、前記テープロール１の芯材が前記テープの回転ローラーに嵌め込まれ、嵌め込まれた以後にも前記切開部の弾性力によってテープの回転ローラー１７０がテープロール１の芯材を外側方向に押す力を加えることで、従来のテープ切断機よりテープロール１をしっかりと固定することができる。
【００８４】
以上、様々な実施例を介して本発明の技術的思想を説明した。
【００８５】
本発明の属する技術分野における通常の知識を有する者が本発明の記載事項から前記説明した実施例を多様に変形したり、変更できることは自明である。また、たとえ明示的に図示したり、説明していないとしても、本発明の属する技術分野における通常の知識を有する者が本発明の記載事項から本発明による技術的思想を含む様々な形態の変形を行うことができるのは自明であり、これは依然として本発明の権利範囲に属する。添付する図面を参照して説明された前記の実施例は、本発明を説明するための目的で記述されたものであり、本発明の権利範囲はこれらの実施例に限定されない。
【符号の説明】
【００８６】
１  テープ
１００  多分割方式のテープ切断機
１１０  ハウジング
１１１  安着溝
１１２  カバー安着部
１２０  第１のカッター部
１２１  固定バー
１２２  円筒部
１２３  切断刃
１３０  第２のカッター部
１３１  刃支持台
１３２  刃
１５０  回転部材
１５１  締結突起
１５２  回転翼
１６０  カッターのハンドル
１６１  締結溝
１７０  テープの回転ローラー
１７１  テンション調節部
１８０  カバー部
【図１】
2020138864.tif 000006
【図２】
2020138864.tif 000007
【図３】
2020138864.tif 000008
【図４】
2020138864.tif 000009
【図５】
2020138864.tif 000010
【図６】
2020138864.tif 000011
【図７】
2020138864.tif 000012
【図８】
2020138864.tif 000013
【図９】
2020138864.tif 000014